(57)【要約】      （修正有）【課題】階段支持材がどのような角度で敷設されようと、その階段支持材の側面に配置された基板が不必要に階段支持材の幅（の間隔）よりも外方にはみ出るようなことがない野外用簡易階段を提供する。【解決手段】野外用簡易階段１の階段本体５が固定される階段支持材としてのビーム２の側面に手摺り８支持用の支柱７を立設するために固着される支柱用ブラケット９は、支柱が支持される支柱支持部と、支柱支持部に併設された円板形状の基板１２とを備え、基板はビーム側面に対して密着させられ、ボルト及びナットによって締結されている。【選択図】図１
0003214873.tif 000002
【実用新案登録請求の範囲】
【請求項１】
階段本体と、同階段本体が固定される左右一対の長尺の階段支持材と、同階段支持材を傾斜面に固定するアンカー部材と、を備えた野外用簡易階段であって、前記階段本体に沿って配設される手摺り部材を支持するために前記階段支持材の側方に支柱を立設させた野外用簡易階段において、
前記支柱は上部位置で前記手摺り部材に連結されるとともに、下部位置で前記階段支持材の外側側面に固定された支柱用ブラケットを介して立設され、
前記支柱用ブラケットは前記支柱が支持される支柱支持部と、同支柱支持部に併設された円板形状の基板とを備え、前記基板は前記階段支持材側面に対して密着させられ、ネジ部材によって前記基板と前記階段支持材とが締結されていることを特徴とする野外用簡易階段。
【請求項２】
前記基板は前記階段支持材の幅よりも大きくないことを特徴とする請求項１に記載の野外用簡易階段。
【請求項３】
前記支柱は前記支柱用ブラケット側の有底の差し込み孔に挿し込んで立設させるようにしたことを特徴とする請求項１又は２に記載の野外用簡易階段。
【請求項４】
前記支柱は前記階段本体の側面に対して固定されていることを特徴とする請求項１〜３のいずれかに記載の野外用簡易階段。
【考案の詳細な説明】
【技術分野】
【０００１】
本考案は、法面や山中の舗装のない斜面や登山道等の傾斜面に敷設される野外用簡易階段に関するものである。
【背景技術】
【０００２】
従来から、工事中あるいは工事後の法面や山中の舗装のない斜面や登山道等に簡易的、つまり簡単に組み立てられ、また解体も容易な野外用簡易階段が敷設されている。このような野外用簡易階段の一例として特許文献１を挙げる。特許文献１の野外用簡易階段（名称としてはプレハブ式階段）では、ステップ部材８を固定するための棒状部材１８を傾斜面に設置しているが、傾斜面の角度は一定ではないので、設置した際の棒状部材１８の設置角度はその傾斜に応じて若干変化するものである。
一方、棒状部材１８の設置角度が変わっても支柱２０の起立方向を垂直に保てるようにしなければならない。
そのため、特許文献１では、支柱２０を棒状部材１８に固定するための手摺支持金物３２の取り付け位置（取り付け角度を）変えられるようにしている。具体的には手摺支持金物３２を取り付けるためのボルト３３用の取り付け孔３２ａの相対的な位置を変更できるように湾曲した長孔形状となるように構成してそれを実現している。これによって、棒状部材１８の設置角度が変わっても長方形形状の手摺支持金物３２の上辺と棒状部材１８の上辺が平行になるように取り付けることができるというものである。
【先行技術文献】
【特許文献】
【０００３】
【特許文献１】実用新案登録第６００８８２１号公報
【考案の概要】
【考案が解決しようとする課題】
【０００４】
しかし、特許文献１のような対応では、そもそも１つ１つ手摺支持金物３２の棒状部材１８に対する角度を調整しながら装着していかなければならず、作業効率的に不利である。また、長孔状の取り付け孔３２ａを形成することもコスト的に不利である。また、特許文献１の図６（ｂ）のように摺支持金物３２の位置によっては階段側に角部が張り出すこととなって危険である。そのため、これらの諸問題を解決した野外用簡易階段が望まれていた。
【課題を解決するための手段】
【０００５】
上記の目的を達成するための第１の手段として、階段本体と、同階段本体が固定される左右一対の長尺の階段支持材と、同階段支持材を傾斜面に固定するアンカー部材と、を備えた野外用簡易階段であって、前記階段本体に沿って配設される手摺り部材を支持するために前記階段支持材の側方に支柱を立設させた野外用簡易階段において、前記支柱は上部位置で前記手摺り部材に連結されるとともに、下部位置で前記階段支持材の外側側面に固定された支柱用ブラケットを介して立設され、前記支柱用ブラケットは前記支柱が支持される支柱支持部と、同支柱支持部に併設された円板形状の基板とを備え、前記基板は前記階段支持材側面に対して密着させられ、ネジ部材によって前記基板と前記階段支持材とが締結されているにした。
これによって、階段支持材がどのような角度で敷設されようと、その階段支持材の側面に配置された基板は円形形状であるので階段支持材の幅に対して常に一定の距離を保つことができ、例えば階段支持材の側面と同幅であれば常に同幅を保つように装着でき、側面よりもわずかに大きければ常にわずかだけはみ出るように装着でき、支柱用ブラケットの装着において、基板が不必要に階段支持材の幅（の間隔）よりも外方にはみ出るようなことがない。
【０００６】
また、第２の手段として、前記プレートは前記階段支持材の幅よりも大きくないようにした。
これによって、階段支持材がどのような角度で敷設されようと、その階段支持材の側面に配置された基板が階段支持材の側面の幅からはみ出ずに固定することができる。
また、第３の手段として、前記支柱は前記支柱用ブラケット側の有底の差し込み孔に挿し込んで立設させるようにした。
これによって、支柱の取り付け作業を簡単に行うことができる。
また、第４の手段として、前記支柱は前記階段本体の側面に対して固定されるようにした。
これによって、階段支持材の側方と階段本体の側面の少なくとも２箇所で支柱は固定されることとなるため、しっかりと手摺り部材を保持することができる。
【考案の効果】
【０００７】
本考案によれば、階段支持材の側面に配置された基板は円形形状であるので階段支持材の幅に対して常に一定の距離を保つことができ、階段支持材の角度が変化しても不必要に階段支持材の幅から基板をはみ出させずに支柱用ブラケットを装着することができる。
【図面の簡単な説明】
【０００８】
【図１】実施の形態の野外用簡易階段の部分正面図。
【図２】同じ実施の形態の野外用簡易階段において、支柱を支柱用ブラケットと補強金具を使用して固定した状態を説明する説明図。
【図３】（ａ）は支柱用ブラケットの斜視図、（ｂ）は補強金具の斜視図。
【考案を実施するための形態】
【０００９】
以下、本考案の実施の形態である野外用簡易階段の一例について図面に基づいて説明する。
野外用簡易階段１は傾斜面Ｓ上に敷設されている。野外用簡易階段１は傾斜面Ｓ上に配置される平行な二本のプラスチック製の階段支持材としてのプラスチック製のビーム２を備えている。ビーム２は横断面長方形形状に構成されている。ビーム２はアンカー部材としてのアンカーボルト３をナット４を共締めすることで傾斜面Ｓからずり下がらないように固定されている。アンカーボルト３は適当な間隔でビーム２の長手方向に配設されている。ビーム２の最下部位置では図示しない杭によって堅固にずり下がりが防止されている。ビーム２の上には階段本体５が固着されている。階段本体５は踏み板部と蹴上げ部からなる複数のプラスチック製の階段ユニットを釘６によって連結して直列状に構成されている。連結された階段本体５はビーム２に対して釘６によって固定されている。
このようなビーム２に対して階段本体５が固定された状態において野外用簡易階段１の基本的な設置が完了し、そのような基本構造体に対して支柱７と手摺り８が取り付けられている。まず、支柱用ブラケット９と補強金具１０を使用した支柱７の取り付け構造について説明する。
【００１０】
図２及び図３に示すように、支柱用ブラケット９は合金製の支柱支持部１１と、基板１２と、支柱支持部１１と基板１２とを連結する連結プレート１３とから構成されている。支柱支持部１１は径方向で交差するように配置された板体１５によって有底の円筒体形状に構成されている。基板１２は円板形状とされ、その直径はちょうどビーム２の上辺と下辺の間隔（つまりビーム２の幅）と一致する。基板１２には複数箇所（実施の形態では２箇所）にビーム２取り付け用の透孔１４が形成されている。
図２及び図３に示すように、補強金具１０は鉤状に直角に屈曲された合金製の板体であって、屈曲部においてそれぞれ短片１０ａと長片１０ｂとされている。短片１０ａ側先端には短片１０ａとＴ字状に交差する補助プレート１６が形成されている。補強金具１０の長片１０ｂには階段本体５取り付け用の透孔２０が形成され、補助プレート１６には支柱７の取り付け用の透孔２１が形成されている。
【００１１】
次に、これら支柱用ブラケット９と補強金具１０を使用した支柱７の取り付け工程について説明する。取り付けにおいてはＵ字ボルト２２と六角ボルト２３とナット２４及びワッシャ２５を使用する。
支柱用ブラケット９は支柱支持部１１の開口部が垂直方向（真上）を向くように基板１２をビーム２の外側面に固着する必要がある。そのため、まず、前もって正しい位相状態で基板１２をビーム２にあてがい透孔１４位置を決定する。決定された透孔１４は例えばペン等で対応するビーム２上に印を付け、その印の位置に図示しない工具を使用して連通孔を形成する。そして、図２に示すようにワッシャ２５を介して六角ボルト２３とナット２４によって基板１２をビーム２に固定する。この状態で支柱７を支柱支持部１１内に挿入する。そして、補強金具１０の短片１０ａ側を支柱７にあてがい、Ｕ字ボルト２２とナット２４及びワッシャ２５を使用して仮止めする。そして、階段本体５の踏み板部下側に補強金具１０の長片１０ｂを配置して、長片１０ｂの透孔２０が対応する位置に印を付け、その印の位置に図示しない工具を使用して連通孔を形成するようにする。そして、改めて六角ボルト２３とナット２４及びワッシャ２５を使用して長片１０ｂを階段本体５側に固定する。
以上のような工程で複数の支柱７を支柱用ブラケット９と補強金具１０を使用して固定していき、支柱７間に手摺り８を連結することで野外用簡易階段１の敷設が完了する。
【００１２】
このような構成の野外用簡易階段１では次のような効果が奏される。
（１）ビーム２の敷設角度が敷設する地形の傾斜によって変わっても、支柱７を垂直に立設させる必要がある。その際に支柱支持部１１とビーム２との相対的な向きが変更されても、基板１２は円形であるので基板１２自体は回転するだけで常にビーム２の外側面に同じ形態で配置されることとなり、ビーム２の敷設角度によって基板１２の姿勢が変わってしまうことはない。
（２）支柱７は有底の支柱支持部１１の上方から挿し込むだけで所定の位置に保持させることができるので作業効率がよい。支柱支持部１１底部は外部に連通されているため外部にあっても支柱支持部１１内に雨水が溜まらない。
【００１３】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記支柱用ブラケット９の形状は上記は一例であるため、他の形態で実施することも自由である。
・支柱用ブラケット９は合金製であったが、例えばプラスチック製としてもよい。
・上記では基板１２とビーム２の幅は一致していたが、一致していなくともよい。つまり、基板１２がビーム２からはみだしたり、ビーム２の幅よりも内側に配置されるように装着してもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１４】
１…野外用簡易階段、２…階段支持材としてのビーム、３…アンカー部材としてのアンカーボルト、５…階段本体、７…支柱、８…手摺り部材としての手摺り、９…支柱用ブラケット、１１…支柱支持部、１２…基板、２３…ネジ部材としての六角ボルト、２４…ネジ部材としてのナット。
【図１】
0003214873.tif 000003
【図２】
0003214873.tif 000004
【図３】
0003214873.tif 000005